(57)【要約】      （修正有）【課題】貯蔵室内において貯蔵物が貯蔵される貯蔵空間に冷気を直接的に供給しなくとも貯蔵物を冷却することができ、貯蔵物に直接的に冷気が当たることを回避して鮮度の低下を抑えることができる冷蔵庫を提供する。【解決手段】冷蔵庫は、冷気入口１７を有する貯蔵室１３と、貯蔵室１３内の空間を仕切ることにより、貯蔵物が貯蔵される貯蔵空間Ｓ４、および、貯蔵室１３の冷気入口１７が設けられている壁面に沿う冷気空間Ｓ３を形成し、冷気入口１７から流入する冷気を冷気空間Ｓ３に供給する冷気ダクト２０と、を備える。【選択図】図１
2019002583.tif 000002
【特許請求の範囲】
【請求項１】
冷気入口を有する貯蔵室と、
前記貯蔵室内の空間を仕切ることにより、貯蔵物が貯蔵される貯蔵空間、および、前記貯蔵室の前記冷気入口が設けられている壁面に沿う冷気空間を形成し、前記冷気入口から流入する冷気を前記冷気空間に供給する冷気ダクトと、
を備える冷蔵庫。
【請求項２】
前記冷気ダクトは、さらに、前記貯蔵室の前記冷気入口が設けられていない壁面に沿う冷気空間も形成する請求項１に記載の冷蔵庫。
【請求項３】
前記冷気ダクトは、前記貯蔵空間と前記冷気空間とを連通する連通口と、
前記連通口を開閉するダンパと、
前記ダンパの開閉を制御する制御手段と、
をさらに備え、
前記制御手段は、前記冷気入口からの冷気の流入を停止する場合に前記ダンパを開く請求項１または２に記載の冷蔵庫。
【請求項４】
前記制御手段は、前記冷気入口からの冷気の流入を停止した後に前記ダンパを開く請求項３に記載の冷蔵庫。
【請求項５】
前記ダンパは、前記冷気入口よりも大きい請求項３または４に記載の冷蔵庫。
【請求項６】
前記ダンパは、前記冷気入口よりも広い範囲内において複数備えられている請求項３または４に記載の冷蔵庫。
【請求項７】
前記貯蔵室内の湿度を検知する湿度センサをさらに備え、
前記制御手段は、前記湿度センサが検知する湿度に基づいて前記ダンパの開閉を制御する請求項３から６の何れか１項に記載の冷蔵庫。
【請求項８】
前記湿度センサを複数備える請求項７に記載の冷蔵庫。
【請求項９】
前記湿度センサは、前記貯蔵室の１つの壁面に対し少なくとも１つ備えられている請求項７または８に記載の冷蔵庫。
【発明の詳細な説明】
【技術分野】
【０００１】
本実施形態は、冷蔵庫に関する。
【背景技術】
【０００２】
野菜室を備える冷蔵庫においては、野菜室内に収容されている野菜などの貯蔵物の鮮度を維持することが要求される。例えば、特許文献１に開示されている冷蔵庫は、野菜室内の野菜ケースの上方に防風板を設けることにより、野菜室内に流入する冷気が野菜ケース内の貯蔵物に直接的に当たらないようにしている。
【先行技術文献】
【特許文献】
【０００３】
【特許文献１】特開２０１３−０４４４４６号公報
【発明の概要】
【発明が解決しようとする課題】
【０００４】
しかしながら、上述した従来の構成では、野菜ケース内に冷気が直接的に流入することは回避できるものの、依然として、野菜室内には冷気が直接的に流入する。そのため、野菜ケース内の貯蔵物の乾燥を十分に抑えることができず、貯蔵物の鮮度を維持できないおそれがある。
【０００５】
本実施形態は、貯蔵室内において貯蔵物が貯蔵される貯蔵空間に冷気を直接的に供給しなくとも貯蔵物を冷却することができ、貯蔵物に直接的に冷気が当たることを回避して鮮度の低下を抑えることができる冷蔵庫を提供する。
【課題を解決するための手段】
【０００６】
本実施形態に係る冷蔵庫は、貯蔵室、冷気ダクトを備える。貯蔵室は、冷気入口を有する。冷気ダクトは、前記貯蔵室内の空間を仕切ることにより、貯蔵物が貯蔵される貯蔵空間、および、前記貯蔵室の前記冷気入口が設けられている壁面に沿う冷気空間を形成し、前記冷気入口から流入する冷気を前記冷気空間に供給する。
【図面の簡単な説明】
【０００７】
【図１】本実施形態に係る冷蔵庫の要部の構成例を断面により概略的に示す縦断側面図
【図２】冷蔵庫の要部の構成例を断面により概略的に示す縦断正面図
【図３】冷蔵庫の制御系の構成例を概略的に示すブロック図
【図４】変形例に係る冷蔵庫の要部の構成例を断面により概略的に示す縦断正面図（その１）
【図５】変形例に係る冷蔵庫の要部の構成例を断面により概略的に示す縦断正面図（その２）
【発明を実施するための形態】
【０００８】
以下、冷蔵庫に係る一実施形態について図面を参照しながら説明する。図１に例示する冷蔵庫１０は、その外郭を構成する断熱箱体１１の内部に、何れも貯蔵室の一例である冷蔵室１２、野菜室１３、冷凍室１４を備えている。冷蔵室１２、野菜室１３、冷凍室１４は、相互に上下に隣接した状態で区分されている。冷蔵室１２、野菜室１３、冷凍室１４は、それぞれ、冷蔵室扉１２ａ、野菜室扉１３ａ、冷凍室扉１４ａにより開閉されるようになっている。冷蔵庫１０は、図示しない周知の冷凍サイクルを備えており、この冷凍サイクルにより生成される冷気が、図３に例示するファン６１による送風作用により各貯蔵室内に供給されるようになっている。冷凍サイクルは、冷蔵用の冷却器と冷凍用の冷却器を備えており、冷蔵用の冷却器により冷却される冷気は冷蔵温度帯の貯蔵室に供給され、冷凍用の冷却器により冷却される冷気は冷凍温度帯の貯蔵室に供給される。
【０００９】
断熱箱体１１の内部において、冷蔵室１２と野菜室１３とは、仕切り部１５により上下に区画されている。また、断熱箱体１１の内部において、野菜室１３と冷凍室１４とは、仕切り部１６により上下に区画されている。
【００１０】
仕切り部１５は、冷蔵室１２の下壁部および野菜室１３の上壁部を構成するものであり、その一部に当該仕切り部１５を上下方向に貫通する冷気入口１７を備えている。即ち、冷蔵室１２と野菜室１３とは、冷気入口１７を介して相互に連通しており、何れも、冷蔵温度帯に維持される貯蔵室となっている。冷凍サイクルの冷蔵用の冷却器により生成される冷気Ｆは、まず冷蔵室１２内に流入し、その冷蔵室１２内に供給された冷気Ｆが冷気入口１７を通して野菜室１３内に流入するようになっている。本実施形態では、冷気入口１７は、野菜室１３の上壁面に設けられた構成となっている。
【００１１】
仕切り部１６は、野菜室１３の下壁部および冷凍室１４の上壁部を構成するものであり、野菜室１３と冷凍室１４との間を、相互に連通させることなく遮断している。これにより、冷凍室１４は、冷蔵温度帯である野菜室１３から隔離された冷凍温度帯に維持される貯蔵室として構成されている。冷凍サイクルの冷凍用の冷却器により生成される冷気は、冷凍室１４に供給される。
【００１２】
野菜室１３の内部には、図示しない野菜ケースが設けられる。この野菜ケースは、野菜室１３を開閉する引き出し式の野菜室扉１３ａの裏面に固定される。これにより、野菜ケースは、野菜室扉１８の開閉に伴い野菜室１３から出し入れされる。
【００１３】
冷蔵庫１０は、この場合、野菜室１３の内部に冷気ダクト２０を備えている。次に、この冷気ダクト２０の構成例について詳細に説明する。冷気ダクト２０は、例えばプラスチックなどの樹脂材料により構成されるものであり、図１および図２に例示するように、メイン冷気空間部２１およびサブ冷気空間部２２を一体的に備えている。メイン冷気空間部２１は、矩形の容器状をなしており、本実施形態では、野菜室１３の上面に沿って設けられている。また、メイン冷気空間部２１の後部には、左右のサブ冷気空間部２２の間にわたって板状のリブ２１ａが設けられている。リブ２１ａは、前方側つまり野菜室１３の前方側である野菜室扉１３ａ側から、後方側つまり野菜室１３の後方側に向かって下降するように傾斜している。
【００１４】
メイン冷気空間部２１の内部は、空洞となっており、これにより、メイン冷気空間Ｓ１が形成されている。また、メイン冷気空間部２１は、冷気流入口２１ｂを有している。この冷気流入口２１ｂは、メイン冷気空間部２１のうち野菜室１３の上面に対向する面、この場合、上面において、冷気入口１７に対向する位置に設けられている。これにより、冷気入口１７から流入する冷気Ｆは、冷気流入口２１ｂを通してメイン冷気空間部２１内、換言すれば、メイン冷気空間Ｓ１に供給される。
【００１５】
サブ冷気空間部２２は、この場合、メイン冷気空間部２１の左右の両端部から下方に延びるようにして設けられている。サブ冷気空間部２２は、メイン冷気空間部２１の後方寄りに設けられている。また、サブ冷気空間部２２の前端部は、前方側つまり野菜室１３の前方側である野菜室扉１３ａ側から、後方側つまり野菜室１３の後方側に向かって下降するように傾斜している。また、サブ冷気空間部２２の下部の後部には、上方に向かって窪む窪み部２２ａが設けられている。この窪み部２２ａには、湿度センサ３０が設けられている。湿度センサ３０は、冷気ダクト２０の外部に位置している。従って、この湿度センサ３０は、野菜室１３内、特に貯蔵空間Ｓ４内の湿度を検知する。
【００１６】
サブ冷気空間部２２の内部も、空洞となっており、これにより、サブ冷気空間Ｓ２が形成されている。また、サブ冷気空間部２２の上部はメイン冷気空間部２１の左右の両端部と相互に連通しており、これにより、冷気ダクト２０は、野菜室１３の内部に、メイン冷気空間Ｓ１およびサブ冷気空間Ｓ２からなる、これら冷気空間Ｓ１，Ｓ２が連続した冷気空間Ｓ３を形成している。即ち、冷気ダクト２０は、野菜室１３内の空間を仕切ることにより、当該野菜室１３内の空間を、野菜類などの貯蔵物が貯蔵される貯蔵空間Ｓ４と、貯蔵物が貯蔵されない冷気空間Ｓ３とに区画している。
【００１７】
冷気ダクト２０により形成される冷気空間Ｓ３は、野菜室１３を構成する複数の壁面のうち冷気入口１７が設けられている壁面、この場合、上壁面に沿うメイン冷気空間Ｓ１と、野菜室１３を構成する複数の壁面のうち冷気入口１７が設けられていない壁面、この場合、左右の両壁面に沿うサブ冷気空間Ｓ２と、を有した空間となっている。
【００１８】
また、冷気空間Ｓ３の後部、換言すれば、メイン冷気空間Ｓ１の後部およびサブ冷気空間Ｓ２の後部は、野菜室１３の後壁面側に開放している。野菜室１３の後壁面には、図示しない冷却室に連通する冷気出口が設けられている。そのため、冷気空間Ｓ３内に供給された冷気Ｆは、当該冷気空間Ｓ３の後部から冷気出口を通して冷却室内に流出するようになっている。そして、冷却室内に戻された冷気は、図示しない冷蔵用の冷却器により再び冷却され、冷蔵室１２内に供給され、その後、野菜室１３内に到達する。
【００１９】
また、メイン冷気空間部２１は、連通口２１ｃおよびダンパ４０を有している。連通口２１ｃは、メイン冷気空間部２１の下面に設けられている。本実施形態では、連通口２１ｃは、メイン冷気空間部２１の下面において、後方寄りとなる位置であって、且つ、野菜室１３の正面側から見て左方寄りとなる位置に設けられている。但し、連通口２１ｃの位置は、適宜変更して実施することができる。この連通口２１ｃは、貯蔵空間Ｓ４と、冷気空間Ｓ３、特にメイン冷気空間Ｓ１とを相互に連通する。
【００２０】
ダンパ４０は、この連通口２１ｃに設けられている。ダンパ４０は、回動可能に設けられており、その回動量が調整されることにより、連通口２１ｃの開度が制御されるようになっている。ダンパ４０により連通口２１ｃが閉塞された状態では、冷気空間Ｓ３内の冷気Ｆ、特にメイン冷気空間Ｓ１内の冷気Ｆは、連通口２１ｃから貯蔵空間Ｓ４に流出することなく、野菜室１３の後壁面の冷気出口に向かって流れる。一方、ダンパ４０により連通口２１ｃが開放された状態では、冷気空間Ｓ３内の冷気Ｆ、特にメイン冷気空間Ｓ１内の冷気Ｆの一部は、連通口２１ｃを通して貯蔵空間Ｓ４内に流出する。このとき、ダンパ４０による連通口２１ｃの開度が大きくなるほど貯蔵空間Ｓ４内に供給される冷気Ｆの量が多くなり、逆に、ダンパ４０による連通口２１ｃの開度が小さくなるほど貯蔵空間Ｓ４内に供給される冷気Ｆの量が少なくなる。
【００２１】
次に、冷蔵庫１０による制御系の構成例について説明する。図３に例示する制御装置５０は、例えばマイクロコンピュータを主体として構成されており、冷蔵庫１０の動作全般を制御する。制御装置５０は、制御プログラムを実行することによりダンパ開閉制御処理部５１をソフトウェアにより仮想的に実現する。なお、ダンパ開閉制御処理部５１は、ハードウェアにより構成してもよいし、ソフトウェアとハードウェアの組み合わせにより構成してもよい。ダンパ開閉制御処理部５１は、制御手段の一例であり、ダンパ４０の開閉、換言すれば連通口２１ｃの開度を制御することにより貯蔵室内、この場合、野菜室１３内の貯蔵空間Ｓ４に直接的に流入する冷気Ｆあるいは空気の供給量を調整する。
【００２２】
制御装置５０には、上述した湿度センサ３０およびダンパ４０が接続されている。また、制御装置５０には、冷凍サイクルを構成する圧縮機６０およびファン６１が接続されている。本実施形態では、ダンパ開閉制御処理部５１は、圧縮機６０あるいはファン６１の駆動を停止する場合、つまり、冷気入口１７から野菜室１３内への冷気Ｆの流入を停止する場合にダンパ４０を開く制御を実行可能に構成されている。このとき、ダンパ開閉制御処理部５１は、冷気入口１７から野菜室１３内への冷気Ｆの流入を停止すると同時にダンパ４０を開くように設定してもよいし、冷気入口１７から野菜室１３内への冷気Ｆの流入を停止してから所定時間が経過した後にダンパ４０を開くように設定してもよい。なお、この所定時間は、例えば貯蔵室の容量などに応じて、適宜変更して設定することができる。
【００２３】
また、ダンパ開閉制御処理部５１は、圧縮機６０を停止し、且つ、ファン６１を駆動した状態でダンパ４０を開くことにより、野菜室１３内、特に貯蔵空間Ｓ４内に送風を行う送風制御を実行可能に構成されている。ダンパ開閉制御処理部５１は、図示しない冷却器に付着した霜をヒータにより溶解する周知の除霜運転の実行中、あるいは、実行直後に、この送風制御を行うことにより、貯蔵空間Ｓ４内に、湿気を多く含む空気を供給することが可能となっている。
【００２４】
また、ダンパ開閉制御処理部５１は、湿度センサ３０により検知される野菜室１３内、特に貯蔵空間Ｓ４内の湿度に基づいてダンパ４０を開閉する制御を実行可能に構成されている。このとき、ダンパ開閉制御処理部５１は、湿度センサ３０により検知される湿度が所定の基準値に一致または近付くようにダンパ４０の開閉を制御する。即ち、ダンパ開閉制御処理部５１は、湿度センサ３０による検知湿度が所定の基準値よりも高い場合、つまり、貯蔵空間Ｓ４内の湿度が過剰である場合には、ダンパ４０を開いて冷気Ｆを貯蔵空間Ｓ４内に供給することにより、貯蔵空間Ｓ４内の湿度を低下させる。一方、ダンパ開閉制御処理部５１は、湿度センサ３０による検知湿度が所定の基準値よりも低い場合、つまり、貯蔵空間Ｓ４内の湿度が不足している場合には、ダンパ４０を閉じて冷気Ｆを貯蔵空間Ｓ４内に供給しないようにすることにより、貯蔵空間Ｓ４内の湿度を維持または向上させる。このとき、貯蔵空間Ｓ４内の湿度を向上させる要因としては、例えば、貯蔵空間Ｓ４内の貯蔵物からの水分の蒸散などが考えられる。
【００２５】
また、ダンパ開閉制御処理部５１は、ダンパ４０を開く場合には、そのダンパ４０を開状態で維持する時間を調整可能に構成されている。即ち、ダンパ開閉制御処理部５１は、貯蔵空間Ｓ４内の湿度が過剰である場合において、その過剰量が所定量よりも大きい場合には、ダンパ４０を開状態で維持する時間を標準時間よりも長くすることにより、貯蔵空間Ｓ４内に長期にわたって冷気Ｆを供給して湿度を低下させる。一方、ダンパ開閉制御処理部５１は、貯蔵空間Ｓ４内の湿度が過剰である場合において、その過剰量が所定量よりも小さい場合には、ダンパ４０を開状態で維持する時間を標準時間よりも短くすることにより、貯蔵空間Ｓ４内に冷気Ｆを供給して湿度を低下させつつ、その低下量が過剰とならないように制御する。なお、この標準時間は、例えば貯蔵室の容量などに応じて、適宜変更して設定することができる。
【００２６】
本実施形態に係る冷蔵庫１０によれば、冷気入口１７から流入する冷気Ｆは、野菜室１３内の貯蔵空間Ｓ４ではなく、冷気ダクト２０により形成される冷気空間Ｓ３に供給され、これにより、冷気ダクト２０を冷却する。そして、野菜室１３内の貯蔵空間Ｓ４の空気は、この冷却された冷気ダクト２０により冷却される。即ち、貯蔵空間Ｓ４内の空気は、冷気入口１７から流入する冷気Ｆにより直接的に冷却されるのではなく、冷気ダクト２０を介して間接的に冷却される。この構成によれば、野菜室１３の貯蔵空間Ｓ４内に冷気Ｆを直接的に供給しなくとも貯蔵空間Ｓ４内の貯蔵物を冷却することができ、貯蔵物に直接的に冷気Ｆが当たることを回避して鮮度の低下を抑えることができる。
【００２７】
また、冷蔵庫１０によれば、冷気ダクト２０は、野菜室１３を構成する複数の壁面のうち冷気入口１７が設けられている壁面に沿うメイン冷気空間Ｓ１のほか、さらに、野菜室１３を構成する複数の壁面のうち冷気入口１７が設けられていない壁面に設けられているサブ冷気空間Ｓ２も形成する。これにより、冷気ダクト２０を介して間接的に冷却できる冷却面積をより多く確保することができ、貯蔵空間Ｓ４内の貯蔵物を冷却する冷却効果を一層高めることができる。
【００２８】
また、冷蔵庫１０によれば、冷気ダクト２０は、貯蔵空間Ｓ４と冷気空間Ｓ３とを連通する連通口２１ｃを備え、この連通口２１ｃの開度をダンパ４０の開閉を制御することにより調整可能に構成されている。この構成によれば、必要に応じて貯蔵空間Ｓ４内に冷気Ｆを直接的に供給することができる。そのため、例えば、貯蔵空間Ｓ４内の湿度が過剰である場合に、貯蔵空間Ｓ４内に冷気Ｆを直接的に供給して湿度を低下させることができ、また、貯蔵物の急冷が必要である場合に、貯蔵空間Ｓ４内に冷気Ｆを直接的に供給して貯蔵物を急速に冷却することができる。
【００２９】
また、冷蔵庫１０によれば、制御装置５０は、冷気入口１７から野菜室１３内への冷気Ｆの流入を停止する場合にダンパ４０を開く制御を実行可能である。この構成によれば、例えば除霜運転の実行中あるいは実行後に、冷気Ｆの供給を停止しつつダンパ４０を開くことにより、貯蔵空間Ｓ４内に、冷気Ｆではなく、湿気を多く含む空気を供給することができ、貯蔵空間Ｓ４内の貯蔵物に適度な湿気を提供することができる。
【００３０】
また、冷蔵庫１０によれば、制御装置５０は、冷気入口１７から野菜室１３内への冷気Ｆの流入を停止した後にダンパ４０を開く制御を実行可能である。この構成によれば、例えば、貯蔵空間Ｓ４内に送風のみを行いたい場合、湿気を多く含む空気のみを供給したい場合などに、貯蔵空間Ｓ４内に冷気Ｆが流入することを確実に回避することができる。
【００３１】
また、冷蔵庫１０によれば、制御装置５０は、湿度センサ３０により検知される貯蔵空間Ｓ４内の湿度に基づいてダンパ４０の開閉を制御することが可能である。この構成によれば、貯蔵空間Ｓ４内の実際の湿度に応じてダンパ４０の開閉、換言すれば、冷気Ｆの供給量を調整することができ、貯蔵空間Ｓ４内の湿度を適切な値で維持することができる。
【００３２】
なお、本実施形態は、上述した実施形態に限られるものではなく、例えば、次のように拡張または変更してもよい。即ち、冷気ダクト２０は、野菜室１３以外の貯蔵室、例えば、冷蔵室１２、冷凍室１４、図示しない製氷室などに設けてもよい。
【００３３】
また、図４に例示するように、冷蔵庫１０は、冷気入口１７の開口面積よりも大きい開口面積を有するダンパ４０Ａを備える構成としてもよい。この場合、ダンパ４０Ａにより開閉される連通口２１ｃＡの開口面積も、冷気入口１７の開口面積よりも大きくなっている。この構成によれば、より大きな開口面積を有する連通口２１ｃＡから貯蔵空間Ｓ４内に同時に多量の冷気Ｆあるいは湿気を多く含む空気を供給することができる。よって、冷気Ｆあるいは湿気を多く含む空気を効率良く貯蔵空間Ｓ４内に供給することができ、また、ダンパ４０Ａを開状態で維持する時間を短くすることができる。なお、この図４に示す構成例においては、例えば、１つの連通口２１ｃＡに複数のダンパを備える構成としてもよい。この構成例によれば、それぞれのダンパの開閉を別個に制御することにより、連通口２１ｃＡを通過する冷気Ｆや空気の量をきめ細かく調整することができる。
【００３４】
また、図５に例示するように、冷蔵庫１０は、複数、この場合、２つのダンパ４０を備える構成としてもよい。この構成によっても、複数の連通口２１ｃを通して貯蔵空間Ｓ４内に同時に多量の冷気Ｆあるいは湿気を多く含む空気を供給することができる。よって、冷気Ｆあるいは湿気を多く含む空気を効率良く貯蔵空間Ｓ４内に供給することができ、また、ダンパ４０Ａを開状態で維持する時間を短くすることができる。また、この構成例では、複数のダンパ４０は、冷気入口１７の開口面積よりも広い面積を有する領域内に備えられている。従って、冷気入口１７の開口面積よりも広い範囲において複数箇所、この場合、２か所から冷気Ｆあるいは湿気を多く含む空気を貯蔵空間Ｓ４内に供給することができ、貯蔵空間Ｓ４内の広範囲にわたって満遍なく冷気Ｆあるいは湿気を多く含む空気を行き渡らせることができる。また、２つのダンパ４０の開閉を別個に制御することにより、例えば、一方のダンパ４０を閉じ他方のダンパ４０を開く制御、２つのダンパ４０を何れも開く制御、２つのダンパ４０の開度を異ならせる制御などを適宜切り換えることにより、貯蔵空間Ｓ４内に供給される冷気Ｆや空気の供給量をきめ細かく制御することができる。なお、ダンパ４０の数は、２つに限られるものではなく、３つ以上の複数を備える構成であってもよい。また、複数のダンパ４０の大きさや形状は、相互に同じとしてもよいし、異ならせてもよい。
【００３５】
また、図示は省略するが、冷蔵庫１０は、貯蔵空間Ｓ４内に複数の湿度センサ３０を備える構成としてもよい。この構成によれば、複数の湿度センサ３０により貯蔵空間Ｓ４内の湿度を精度良く検知することができる。また、冷蔵庫１０は、貯蔵空間Ｓ４内に複数の湿度センサ３０を備える場合には、野菜室１３の１つの壁面に対し少なくとも１つの湿度センサ３０を備える構成とするとよい。この構成によれば、貯蔵空間Ｓ４内の湿度を偏りなく検知することができ、その検知結果つまり貯蔵空間Ｓ４の全体的な湿度に応じたダンパ４０の開閉制御を行うことができる。また、制御装置５０は、複数の湿度センサ３０を備える場合には、それぞれの湿度センサ３０から得られる検知結果の平均値、中央値、最高値、最低値などを貯蔵空間Ｓ４の湿度として特定することができる。また、冷蔵庫１０は、貯蔵室の複数の壁面に湿度センサ３０を設ける場合には、それぞれの壁面に設ける湿度センサ３０の数を、相互に同じとした構成としてもよいし、異なる構成としてもよい。
【００３６】
本実施形態に係る冷蔵庫によれば、冷気ダクトは、貯蔵室内の空間を仕切ることにより、貯蔵物が貯蔵される貯蔵空間、および、貯蔵室の冷気入口が設けられている壁面に沿う冷気空間を形成し、冷気入口から流入する冷気を冷気空間に供給する。この構成によれば、貯蔵室内において貯蔵物が貯蔵される貯蔵空間に冷気を直接的に供給しなくとも貯蔵物を冷却することができ、貯蔵物に直接的に冷気が当たることを回避して鮮度の低下を抑えることができる。
【００３７】
以上、本発明の一実施形態を説明したが、本実施形態は、例として提示したものであり、発明の範囲を限定することは意図していない。この新規な実施形態は、その他の様々な形態で実施されることが可能であり、発明の要旨を逸脱しない範囲で、種々の省略、置き換え、変更を行うことができる。本実施形態やその変形は、発明の範囲や要旨に含まれるとともに、特許請求の範囲に記載された発明とその均等の範囲に含まれる。
【符号の説明】
【００３８】
図面中、１０は冷蔵庫、１２は冷蔵室（貯蔵室）、１３は野菜室（貯蔵室）、１４は冷凍室（貯蔵室）、１７は冷気入口、２０は冷気ダクト、２１ｃ，２１ｃＡは連通口、３０は湿度センサ、４０，４０Ａはダンパ、５１はダンパ開閉制御処理部（制御手段）、Ｓ１はメイン冷気空間（冷気空間）、Ｓ２はサブ冷気空間（冷気空間）、Ｓ３は冷気空間、Ｓ４は貯蔵空間を示す。
【図１】
2019002583.tif 000003
【図２】
2019002583.tif 000004
【図３】
2019002583.tif 000005
【図４】
2019002583.tif 000006
【図５】
2019002583.tif 000007